(57)【要約】【課題】アプリケーション内の情報のレイアウトを簡易な操作で変更することができる表示処理装置を提供すること。【解決手段】人力駆動車両の走行に関する情報を含む複数の表示情報と、複数の表示情報がそれぞれ表示される複数の表示領域を有する表示部１４と、表示部１４に接触する第１入力操作を受け付ける操作部１６と、第１入力操作の接触位置に関わらず、表示部１４における複数の表示領域の少なくとも１つの大きさを変更する処理部３０と、を含む。【選択図】図３
2019211915.tif 000002
【特許請求の範囲】
【請求項１】
人力駆動車両の走行に関する情報を含む複数の表示情報と、前記複数の表示情報がそれぞれ表示される複数の表示領域を有する表示部と、
前記表示部に接触する第１入力操作を受け付ける操作部と、
前記第１入力操作の接触位置に関わらず、前記表示部における前記複数の表示領域の少なくとも１つの大きさを変更する処理部と、を含む表示処理装置。
【請求項２】
前記第１入力操作は、前記表示部における前記複数の表示領域の少なくとも１つの大きさを拡大するピンチアウト操作、または、前記表示部における前記複数の表示領域の少なくとも１つの大きさを縮小するピンチイン操作である、請求項１に記載の表示処理装置。
【請求項３】
前記複数の表示情報は、少なくとも１つの第１表示情報と、前記少なくとも１つの第１表示情報とは異なる少なくとも１つの第２表示情報と、を含み、
前記複数の表示領域は、前記少なくとも１つの第１表示情報が表示される第１表示領域と、前記少なくとも１つの第２表示情報が表示される第２表示領域とを含み、
前記処理部は、前記操作部により前記第１入力操作として前記ピンチアウト操作を受け付けた場合、前記第１表示領域の大きさを拡大する、請求項２に記載の表示処理装置。
【請求項４】
前記複数の表示情報は、少なくとも１つの第１表示情報と、前記少なくとも１つの第１表示情報とは異なる少なくとも１つの第２表示情報と、を含み、
前記複数の表示領域は、前記少なくとも１つの第１表示情報が表示される第１表示領域と、前記少なくとも１つの第２表示情報が表示される第２表示領域とを含み、
前記処理部は、前記操作部により前記第１入力操作として前記ピンチアウト操作を受け付けた場合、前記第１表示領域の大きさを拡大し、前記第２表示領域の大きさを縮小する、請求項２に記載の表示処理装置。
【請求項５】
前記複数の表示情報は、少なくとも１つの第１表示情報と、前記少なくとも１つの第１表示情報とは異なる少なくとも１つの第２表示情報と、を含み、
前記複数の表示領域は、前記少なくとも１つの第１表示情報が表示される第１表示領域と、前記少なくとも１つの第２表示情報が表示される第２表示領域とを含み、
前記処理部は、前記操作部により前記第１入力操作として前記ピンチアウト操作を受け付けた場合、前記少なくとも１つの第２表示情報を非表示にする、請求項２に記載の表示処理装置。
【請求項６】
前記複数の表示情報は、少なくとも１つの第１表示情報と、前記少なくとも１つの第１表示情報とは異なる少なくとも１つの第２表示情報と、を含み、
前記複数の表示領域は、前記少なくとも１つの第１表示情報が表示される第１表示領域と、前記少なくとも１つの第２表示情報が表示される第２表示領域とを含み、
前記処理部は、前記操作部により前記第１入力操作として前記ピンチアウト操作を受け付けた場合、前記第１表示領域の大きさを拡大し、前記第２表示領域の大きさを維持する、請求項２に記載の表示処理装置。
【請求項７】
前記複数の表示情報は、さらに、少なくとも１つの第３表示情報を含み、
前記複数の表示領域は、さらに、前記少なくとも１つの第３表示情報が表示される第３表示領域を含み、
前記処理部は、前記操作部により前記第１入力操作として前記ピンチアウト操作を受け付けた場合、前記第３表示情報を非表示にする、請求項６に記載の表示処理装置。
【請求項８】
前記複数の表示情報は、少なくとも１つの第１表示情報と、前記少なくとも１つの第１表示情報とは異なる少なくとも１つの第２表示情報と、前記第１表示情報および前記第２表示情報とは異なる、少なくとも１つの第３表示情報を含み、
前記複数の表示領域は、前記少なくとも１つの第１表示情報が表示される第１表示領域と、前記少なくとも１つの第２表示情報が表示される第２表示領域と、前記少なくとも１つの第３表示情報が表示される第３表示領域と、を含み、
前記処理部は、前記操作部により前記第１入力操作として前記ピンチアウト操作を受け付けた場合、前記第１表示領域の大きさを拡大し、前記第２表示領域および前記第３表示領域の少なくとも一方の大きさを縮小する、請求項２に記載の表示処理装置。
【請求項９】
前記処理部は、前記ピンチアウト操作を受け付けた場合、前記第２表示領域の大きさを縮小し、前記少なくとも１つの第３表示情報を非表示にする、請求項８に記載の表示処理装置。
【請求項１０】
前記複数の表示情報は、少なくとも１つの第１表示情報と、前記少なくとも１つの第１表示情報とは異なる少なくとも１つの第２表示情報と、を含み、
前記複数の表示領域は、前記少なくとも１つの第１表示情報が表示される第１表示領域と、前記少なくとも１つの第２表示情報が表示される第２表示領域と、を含み、
前記処理部は、前記操作部により前記第１入力操作として前記ピンチアウト操作を受け付けた場合、前記第１表示領域を第１拡大率で拡大し、前記第２表示領域を第２拡大率で拡大し、
前記第１拡大率は、前記第２拡大率よりも大きい、請求項２に記載の表示処理装置。
【請求項１１】
前記複数の表示情報は、前記少なくとも１つの第１表示情報および前記少なくとも１つの第２表示情報とは異なる、少なくとも１つの第３表示情報を含み、
前記複数の表示領域は、前記少なくとも１つの第３表示情報が表示される第３表示領域と、を含み、
前記処理部は、前記ピンチアウト操作を受け付けた場合、前記第３表示領域の大きさを縮小または前記少なくとも１つの第３表示情報を非表示にする、請求項１０に記載の表示処理装置。
【請求項１２】
前記複数の表示情報は、少なくとも１つの第１表示情報と、前記少なくとも１つの第１表示情報とは異なる少なくとも１つの第２表示情報と、を含み、
前記複数の表示領域は、前記少なくとも１つの第１表示情報が表示される第１表示領域と、前記少なくとも１つの第２表示情報が表示される第２表示領域と、を含み、
前記処理部は、前記操作部により前記第１入力操作として前記ピンチイン操作を受け付けた場合、前記第１表示領域の大きさを縮小し、前記第２表示領域の大きさを維持する、請求項２から１１のいずれか一項に記載の表示処理装置。
【請求項１３】
前記複数の表示情報は、前記少なくとも１つの第１表示情報および前記少なくとも１つの第２表示情報とは異なる、少なくとも１つの第３表示情報を含み、
前記複数の表示領域は、前記少なくとも１つの第３表示情報が表示される第３表示領域と、を含み、
前記処理部は、前記ピンチアウト操作を受け付けて前記少なくとも１つの第３表示情報が非表示になっていた場合、前記ピンチイン操作を受け付けた際に、非表示になっていた前記少なくとも１つの第３表示情報を前記第３表示領域に表示する、請求項１２に記載の表示処理装置。
【請求項１４】
前記複数の表示情報は、少なくとも１つの第１表示情報と、前記少なくとも１つの第１表示情報とは異なる少なくとも１つの第２表示情報と、を含み、
前記複数の表示領域は、前記少なくとも１つの第１表示情報が表示される第１表示領域と、前記少なくとも１つの第２表示情報が表示される第２表示領域と、を含み、
前記処理部は、前記操作部により前記第１入力操作として前記ピンチイン操作を受け付けた場合、前記第１表示領域を第１縮小率で縮小し、前記第２表示領域を第２縮小率で縮小し、
前記第１縮小率は、前記第２縮小率よりも大きい、請求項２から１１のいずれか一項に記載の表示処理装置。
【請求項１５】
前記複数の表示情報は、前記少なくとも１つの第１表示情報および前記少なくとも１つの第２表示情報とは異なる、少なくとも１つの第３表示情報を含み、
前記複数の表示領域は、前記少なくとも１つの第３表示情報が表示される第３表示領域と、を含み、
前記処理部は、前記ピンチアウト操作を受け付けて前記少なくとも１つの第３表示情報が非表示になっていた場合、前記ピンチイン操作を受け付けた際に、非表示になっていた前記少なくとも１つの第３表示情報を前記第３表示領域に表示する、請求項１４に記載の表示処理装置。
【請求項１６】
前記複数の表示領域の１つには、前記複数の表示情報における少なくとも２つ以上が表示される、請求項１から１５のいずれか一項に記載の表示処理装置。
【請求項１７】
前記第１入力操作は、前記表示部に触れてから所定時間後に離すタップ操作、または前記表示部に触れた状態で動かすスライド操作である、請求項１に記載の表示処理装置。
【請求項１８】
前記処理部は、前記操作部により前記第１入力操作とは異なる第２入力操作を受け付けた場合、前記複数の表示領域の少なくとも１つに表示されていた表示情報を他の表示情報に変更する、請求項１から１７のいずれか一項に記載の表示処理装置。
【請求項１９】
前記表示部は、前記複数の表示情報とは異なる少なくとも１つの追加表示情報を表示する追加表示領域を含む、請求項１から１８のいずれか一項に記載の表示処理装置。
【請求項２０】
前記処理部は、前記操作部により前記第１入力操作を受け付けた場合でも、前記少なくとも１つの追加表示情報の表示を維持する、請求項１９に記載の表示処理装置。
【請求項２１】
少なくとも１つの表示情報が表示される少なくとも１つの表示領域により構成される表示部と、
前記少なくとも１つの表示情報に対する処理を行う処理部と、を含み、
前記表示部は、前記少なくとも１つの表示領域により構成される複数の表示パターンを含み、
前記処理部は、前記複数の表示パターンの中から予め定められた少なくとも１つの表示パターンを前記表示部に表示させる、
表示処理装置。
【請求項２２】
前記少なくとも１つの表示情報は人力駆動車両の走行に関係する情報である、請求項２１に記載の表示処理装置。
【請求項２３】
操作を受け付ける操作部を含み、
前記処理部は、前記操作部により受け付けた操作に基づき、前記複数の表示パターンの中から、前記表示部に表示する選択パターンを決定する、請求項２１または２２に記載の表示処理装置。
【発明の詳細な説明】
【技術分野】
【０００１】
本発明は、表示処理装置に関する。
【背景技術】
【０００２】
携帯端末装置のタッチパネルに表示されるアイコンの表示位置を変更する技術が開示されている。
【先行技術文献】
【特許文献】
【０００３】
【特許文献１】特開２０１３−２２９００３号公報
【発明の概要】
【発明が解決しようとする課題】
【０００４】
本発明は、表示画面に表示される表示情報に関する操作性を向上させ、表示情報のレイアウトを簡易な操作で変更することができる表示処理装置を提供する。
【課題を解決するための手段】
【０００５】
上述した課題を解決し、目的を達成するために、本発明の第１側面に従う表示処理装置は、人力駆動車両の走行に関する情報を含む複数の表示情報と、前記複数の表示情報がそれぞれ表示される複数の表示領域を有する表示部と、前記表示部に接触する第１入力操作を受け付ける操作部と、前記第１入力操作の接触位置に関わらず、前記表示部における前記複数の表示領域の少なくとも１つの大きさを変更する処理部と、を含む。
【０００６】
第１側面の表示処理装置によれば、操作部により第１入力操作を受け付けた場合、第１入力操作の接触位置に関わらず、表示部における複数の表示領域の少なくとも１つの大きさを変更することができる。
【０００７】
本発明の第２側面に従う表示処理装置は、第１側面に従う表示処理装置に対し、前記第１入力操作は、前記表示部における前記複数の表示領域の少なくとも１つの大きさを拡大するピンチアウト操作、または、前記表示部における前記複数の表示領域の少なくとも１つの大きさを縮小するピンチイン操作である。
【０００８】
第２側面の表示処理装置によれば、ピンチアウト操作またはピンチイン操作の接触位置に関わらず、表示部における複数の表示領域の少なくとも１つの大きさを変更することができる。
【０００９】
本発明の第３側面に従う表示処理装置は、第２側面に従う表示処理装置に対し、前記複数の表示情報は、少なくとも１つの第１表示情報と、前記少なくとも１つの第１表示情報とは異なる少なくとも１つの第２表示情報と、を含み、前記複数の表示領域は、前記少なくとも１つの第１表示情報が表示される第１表示領域と、前記少なくとも１つの第２表示情報が表示される第２表示領域とを含み、前記処理部は、前記操作部により前記第１入力操作として前記ピンチアウト操作を受け付けた場合、前記第１表示領域の大きさを拡大する。
【００１０】
第３側面の表示処理装置によれば、ピンチアウト操作を受け付けた場合、ピンチアウト操作の接触位置に関わらず、第１表示領域の大きさを拡大することができる。
【００１１】
本発明の第４側面に従う表示処理装置は、第２側面に従う表示処理装置に対し、前記複数の表示情報は、少なくとも１つの第１表示情報と、前記少なくとも１つの第１表示情報とは異なる少なくとも１つの第２表示情報と、を含み、前記複数の表示領域は、前記少なくとも１つの第１表示情報が表示される第１表示領域と、前記少なくとも１つの第２表示情報が表示される第２表示領域とを含み、前記処理部は、前記操作部により前記第１入力操作として前記ピンチアウト操作を受け付けた場合、前記第１表示領域の大きさを拡大し、前記第２表示領域の大きさを縮小する。
【００１２】
第４側面の表示処理装置によれば、ピンチアウト操作を受け付けた場合、ピンチアウト操作の接触位置に関わらず、第１表示領域の大きさを拡大し、第２表示領域の大きさを縮小することができる。
【００１３】
本発明の第５側面に従う表示処理装置は、第２側面に従う表示処理装置に対し、前記複数の表示情報は、少なくとも１つの第１表示情報と、前記少なくとも１つの第１表示情報とは異なる少なくとも１つの第２表示情報と、を含み、前記複数の表示領域は、前記少なくとも１つの第１表示情報が表示される第１表示領域と、前記少なくとも１つの第２表示情報が表示される第２表示領域とを含み、前記処理部は、前記操作部により前記第１入力操作として前記ピンチアウト操作を受け付けた場合、前記少なくとも１つの第２表示情報を非表示にする。
【００１４】
第５側面の表示処理装置によれば、ピンチアウト操作を受け付けた場合、ピンチアウト操作の接触位置に関わらず、少なくとも１つの第２表示情報を非表示にすることができる。
【００１５】
本発明の第６側面に従う表示処理装置は、第２側面に従う表示処理装置に対し、前記複数の表示情報は、少なくとも１つの第１表示情報と、前記少なくとも１つの第１表示情報とは異なる少なくとも１つの第２表示情報と、を含み、前記複数の表示領域は、前記少なくとも１つの第１表示情報が表示される第１表示領域と、前記少なくとも１つの第２表示情報が表示される第２表示領域とを含み、前記処理部は、前記操作部により前記第１入力操作として前記ピンチアウト操作を受け付けた場合、前記第１表示領域の大きさを拡大し、前記第２表示領域の大きさを維持する。
【００１６】
第６側面の表示処理装置によれば、ピンチアウト操作を受け付けた場合、ピンチアウト操作の接触位置に関わらず、第１表示領域の大きさを拡大し、第２表示領域の大きさを維持することができる。
【００１７】
本発明の第７側面に従う表示処理装置は、第６側面に従う表示処理装置に対し、前記複数の表示情報は、さらに、少なくとも１つの第３表示情報を含み、前記複数の表示領域は、さらに、前記少なくとも１つの第３表示情報が表示される第３表示領域を含み、前記処理部は、前記操作部により前記第１入力操作として前記ピンチアウト操作を受け付けた場合、前記第３表示情報を非表示にする。
【００１８】
第７側面の表示処理装置によれば、ピンチアウト操作を受け付けた場合、ピンチアウト操作の接触位置に関わらず、第１表示領域の大きさを拡大し、第２表示領域の大きさを維持し、第３表示情報を非表示にすることができる。
【００１９】
本発明の第８側面に従う表示処理装置は、第２側面に従う表示処理装置に対し、前記複数の表示情報は、少なくとも１つの第１表示情報と、前記少なくとも１つの第１表示情報とは異なる少なくとも１つの第２表示情報と、前記第１表示情報および前記第２表示情報とは異なる、少なくとも１つの第３表示情報を含み、前記複数の表示領域は、前記少なくとも１つの第１表示情報が表示される第１表示領域と、前記少なくとも１つの第２表示情報が表示される第２表示領域と、前記少なくとも１つの第３表示情報が表示される第３表示領域と、を含み、前記処理部は、前記操作部により前記第１入力操作として前記ピンチアウト操作を受け付けた場合、前記第１表示領域の大きさを拡大し、前記第２表示領域および前記第３表示領域の少なくとも一方の大きさを縮小する。
【００２０】
第８側面の表示処理装置によれば、ピンチアウト操作を受け付けた場合、ピンチアウト操作の接触位置に関わらず、第１表示領域の大きさを拡大し、第２表示領域および第３表示領域の少なくとも一方の大きさを縮小することができる。
【００２１】
本発明の第９側面に従う表示処理装置は、第８側面に従う表示処理装置に対し、前記処理部は、前記ピンチアウト操作を受け付けた場合、前記第２表示領域の大きさを縮小し、前記少なくとも１つの第３表示情報を非表示にする。
【００２２】
第９側面の表示処理装置によれば、ピンチアウト操作を受け付けた場合、ピンチアウト操作の接触位置に関わらず、第１表示領域の大きさを拡大し、第２表示領域および第３表示領域の少なくとも一方の大きさを縮小することができる。
【００２３】
本発明の第１０側面に従う表示処理装置は、第２側面に従う表示処理装置に対し、前記複数の表示情報は、少なくとも１つの第１表示情報と、前記少なくとも１つの第１表示情報とは異なる少なくとも１つの第２表示情報と、を含み、前記複数の表示領域は、前記少なくとも１つの第１表示情報が表示される第１表示領域と、前記少なくとも１つの第２表示情報が表示される第２表示領域と、を含み、前記処理部は、前記操作部により前記第１入力操作として前記ピンチアウト操作を受け付けた場合、前記第１表示領域を第１拡大率で拡大し、前記第２表示領域を第２拡大率で拡大し、前記第１拡大率は、前記第２拡大率よりも大きい。
【００２４】
第１０側面の表示処理装置によれば、ピンチアウト操作を受け付けた場合、ピンチアウト操作の接触位置に関わらず、第１表示領域を第１拡大率で拡大し、第２表示領域を第２拡大率で拡大することができる。
【００２５】
本発明の第１１側面に従う表示処理装置は、第１０側面に従う表示処理装置に対し、前記複数の表示情報は、前記少なくとも１つの第１表示情報および前記少なくとも１つの第２表示情報とは異なる、少なくとも１つの第３表示情報を含み、前記複数の表示領域は、前記少なくとも１つの第３表示情報が表示される第３表示領域と、を含み、前記処理部は、前記ピンチアウト操作を受け付けた場合、前記第３表示領域の大きさを縮小または前記少なくとも１つの第３表示情報を非表示にする。
【００２６】
第１１側面の表示処理装置によれば、ピンチアウト操作を受け付けた場合、ピンチアウト操作の接触位置に関わらず、第３表示領域の大きさを縮小または少なくとも１つの第３表示情報を非表示にすることができる。
【００２７】
本発明の第１２側面に従う表示処理装置は、第２から第１１側面のいずれか１つの側面に従う表示処理装置に対し、前記複数の表示情報は、少なくとも１つの第１表示情報と、前記少なくとも１つの第１表示情報とは異なる少なくとも１つの第２表示情報と、を含み、前記複数の表示領域は、前記少なくとも１つの第１表示情報が表示される第１表示領域と、前記少なくとも１つの第２表示情報が表示される第２表示領域と、を含み、前記処理部は、前記操作部により前記第１入力操作として前記ピンチイン操作を受け付けた場合、前記第１表示領域の大きさを縮小し、前記第２表示領域の大きさを維持する。
【００２８】
第１２側面の表示処理装置によれば、ピンチイン操作を受け付けた場合、ピンチイン操作の接触位置に関わらず、第１表示領域の大きさを縮小し、第２表示領域の大きさを維持することができる。
【００２９】
本発明の第１３側面に従う表示処理装置は、第１２側面に従う表示処理装置に対し、前記複数の表示情報は、前記少なくとも１つの第１表示情報および前記少なくとも１つの第２表示情報とは異なる、少なくとも１つの第３表示情報を含み、前記複数の表示領域は、前記少なくとも１つの第３表示情報が表示される第３表示領域と、を含み、前記処理部は、前記ピンチアウト操作を受け付けて前記少なくとも１つの第３表示情報が非表示になっていた場合、前記ピンチイン操作を受け付けた際に、非表示になっていた前記少なくとも１つの第３表示情報を前記第３表示領域に表示する。
【００３０】
第１３側面の表示処理装置によれば、ピンチイン操作を受け付けた場合、ピンチイン操作の接触位置に関わらず、非表示になっていた少なくとも１つの第３表示情報を第３表示領域に表示することができる。
【００３１】
本発明の第１４側面に従う表示処理装置は、第２から第１１側面のいずれか１つの側面に従う表示処理装置に対し、前記複数の表示情報は、少なくとも１つの第１表示情報と、前記少なくとも１つの第１表示情報とは異なる少なくとも１つの第２表示情報と、を含み、前記複数の表示領域は、前記少なくとも１つの第１表示情報が表示される第１表示領域と、前記少なくとも１つの第２表示情報が表示される第２表示領域と、を含み、前記処理部は、前記操作部により前記第１入力操作として前記ピンチイン操作を受け付けた場合、前記第１表示領域を第１縮小率で縮小し、前記第２表示領域を第２縮小率で縮小し、前記第１縮小率は、前記第２縮小率よりも大きい。
【００３２】
第１４側面の表示処理装置によれば、ピンチイン操作を受け付けた場合、ピンチイン操作の接触位置に関わらず、第１表示領域を第１縮小率で縮小し、第２表示領域を第２縮小率で縮小することができる。
【００３３】
本発明の第１５側面に従う表示処理装置は、第１４側面に従う表示処理装置に対し、前記複数の表示情報は、前記少なくとも１つの第１表示情報および前記少なくとも１つの第２表示情報とは異なる、少なくとも１つの第３表示情報を含み、前記複数の表示領域は、前記少なくとも１つの第３表示情報が表示される第３表示領域と、を含み、前記処理部は、前記ピンチアウト操作を受け付けて前記少なくとも１つの第３表示情報が非表示になっていた場合、前記ピンチイン操作を受け付けた際に、非表示になっていた前記少なくとも１つの第３表示情報を前記第３表示領域に表示する。
【００３４】
第１５側面の表示処理装置によれば、ピンチイン操作を受け付けた場合、ピンチイン操作の接触位置に関わらず、非表示になっていた少なくとも１つの第３表示情報を第３表示領域に表示することができる。
【００３５】
本発明の第１６側面に従う表示処理装置は、第１から第１５側面のいずれか１つの側面に従う表示処理装置に対し、前記複数の表示領域の１つには、前記複数の表示情報における少なくとも２つ以上が表示される。
【００３６】
第１６側面の表示処理装置によれば、一つの表示領域に複数の表示情報を表示することができる。
【００３７】
本発明の第１７側面に従う表示処理装置は、第１側面に従う表示処理装置に対し、前記第１入力操作は、前記表示部に触れてから所定時間後に離すタップ操作、または前記表示部に触れた状態で動かすスライド操作である。
【００３８】
第１７側面の表示処理装置によれば、タップ操作またはスライド操作により表示部における複数の表示領域の少なくとも１つの大きさを変更することができる。
【００３９】
本発明の第１８側面に従う表示処理装置は、第１から第１７側面のいずれか１つの側面に従う表示処理装置に対し、前記処理部は、前記操作部により前記第１入力操作とは異なる第２入力操作を受け付けた場合、前記複数の表示領域の少なくとも１つに表示されていた表示情報を他の表示情報に変更する。
【００４０】
第１８側面の表示処理装置によれば、第１入力操作とは異なる第２入力操作を受け付けた場合、第２入力操作の接触位置に関わらず、複数の表示領域の少なくとも１つに表示されていた表示情報を他の表示情報に変更することができる。
【００４１】
本発明の第１９側面に従う表示処理装置は、第１から第１８側面のいずれか１つの側面に従う表示処理装置に対し、前記表示部は、前記複数の表示情報とは異なる少なくとも１つの追加表示情報を表示する追加表示領域を含む。
【００４２】
第１９側面の表示処理装置によれば、追加表示領域には、人力駆動車両の走行に関する情報とは異なる追加表示情報を表示することができる。
【００４３】
本発明の第２０側面に従う表示処理装置は、第１９側面に従う表示処理装置に対し、前記処理部は、前記操作部により前記第１入力操作を受け付けた場合でも、前記少なくとも１つの追加表示情報の表示を維持する。
【００４４】
第２０側面の表示処理装置によれば、少なくとも１つの追加表示情報は、第１入力操作を受け付けた場合でも維持されるので、常に少なくとも１つの追加表示情報をユーザに視認させることができる。
【００４５】
本発明の第２１側面に従う表示処理装置は、少なくとも１つの表示情報が表示される少なくとも１つの表示領域により構成される表示部と、前記少なくとも１つの表示情報に対する処理を行う処理部と、を含み、前記表示部は、前記少なくとも１つの表示領域により構成される複数の表示パターンを含み、前記処理部は、前記複数の表示パターンの中から予め定められた少なくとも１つの表示パターンを前記表示部に表示させる。
【００４６】
第２１側面の表示処理装置によれば、表示領域の大きさを変更する操作をしなくても、複数の表示パターンの中から予め定められた少なくとも１つの表示パターンを表示部に表示させることができる。
【００４７】
本発明の第２２側面に従う表示処理装置は、第２１側面に従う表示処理装置に対し、前記少なくとも１つの表示情報は人力駆動車両の走行に関係する情報である。
【００４８】
第２２側面の表示処理装置によれば、人力駆動車両の走行に関係する情報をユーザに提供することができる。
【００４９】
本発明の第２３側面に従う表示処理装置は、第２１または第２２側面に従う表示処理装置に対し、操作を受け付ける操作部を含み、前記処理部は、前記操作部により受け付けた操作に基づき、前記複数の表示パターンの中から、前記表示部に表示する選択パターンを決定する。
【００５０】
第２３側面の表示処理装置によれば、ユーザの操作に応じて複数の表示パターンの中から、表示部に表示する選択パターンを決定することができる。
【発明の効果】
【００５１】
本発明によれば、アプリケーション内に表示されている情報のレイアウトを簡易な操作で変更することができる。
【図面の簡単な説明】
【００５２】
【図１】図１は、第１実施形態の表示処理装置の外観を示す図である。
【図２】図２は、第１実施形態の人力駆動車両のハンドル部分を示す図である。
【図３】図３は、第１実施形態の表示処理装置の構成を示すブロック図である。
【図４Ａ】図４Ａは、第１実施形態の表示部に表示される人力駆動車両情報提供アプリの表示画面の一例を示す図である。
【図４Ｂ】図４Ｂは、第１実施形態の表示部に表示される人力駆動車両情報提供アプリの表示画面の一例を示す図である。
【図５Ａ】図５Ａは、第１実施形態の第２入力操作により表示情報が変更される様子を模式的に示す図である。
【図５Ｂ】図５Ｂは、第１実施形態の第２入力操作により表示情報が変更される様子を模式的に示す図である。
【図６Ａ】図６Ａは、第２実施形態の表示部に表示される表示画面の一例を示す図である。
【図６Ｂ】図６Ｂは、第２実施形態の表示部に表示される表示画面の一例を示す図である。
【図７Ａ】図７Ａは、第３実施形態の表示部に表示される表示画面の一例を示す図である。
【図７Ｂ】図７Ｂは、第３実施形態の表示部に表示される表示画面の一例を示す図である。
【図８Ａ】図８Ａは、第４実施形態の表示部に表示される表示画面の一例を示す図である。
【図８Ｂ】図８Ｂは、第４実施形態の表示部に表示される表示画面の一例を示す図である。
【図９Ａ】図９Ａは、第４実施形態の表示部に表示される表示画面の他の例を示す図である。
【図９Ｂ】図９Ｂは、第４実施形態の表示部に表示される表示画面の他の例を示す図である。
【図１０Ａ】図１０Ａは、第５実施形態の表示部に表示される表示画面の一例を示す図である。
【図１０Ｂ】図１０Ｂは、第５実施形態の表示部に表示される表示画面の一例を示す図である。
【図１０Ｃ】図１０Ｃは、第５実施形態の表示部に表示される表示画面の一例を示す図である。
【図１１Ａ】図１１Ａは、第６実施形態の表示部に表示される表示画面の一例を示す図である。
【図１１Ｂ】図１１Ｂは、第６実施形態の表示部に表示される表示画面の一例を示す図である。
【図１２Ａ】図１２Ａは、第６実施形態の表示部に表示される表示画面の他の例を示す図である。
【図１２Ｂ】図１２Ｂは、第６実施形態の表示部に表示される表示画面の他の例を示す図である。
【図１３】図１３は、第７実施形態の表示処理装置の構成を示すブロック図である。
【図１４Ａ】図１４Ａは、第７実施形態の表示パターンの一例を示す図である。
【図１４Ｂ】図１４Ｂは、第７実施形態の表示パターンの一例を示す図である。
【図１４Ｃ】図１４Ｃは、第７実施形態の表示パターンの一例を示す図である。
【発明を実施するための形態】
【００５３】
以下に添付図面を参照して、本発明の好適な実施形態を詳細に説明する。なお、この実施形態により本発明が限定されるものではなく、また、実施形態が複数ある場合には、各実施形態を組み合わせて構成するものも含むものである。
【００５４】
（第１実施形態）
図１は、表示処理装置１０の外観構成を示す図である。表示処理装置１０は、例えばスマートフォン、タブレット、携帯情報装置、および、サイクルコンピュータを含む。表示処理装置１０はハウジング１２を含む。ハウジング１２は、縦長の扁平矩形であってもよい。
【００５５】
ハウジング１２の一方主面には、表示部１４が設けられる。表示部１４は、例えば液晶や有機ＥＬなどである。表示部１４の上面には、操作部１６が設けられる。操作部１６は、例えばタッチパネルである。
【００５６】
表示処理装置１０には、複数の表示情報が表示可能である。表示処理装置１０は、ユーザによる操作を操作部１６に受け付けた場合、受け付けた操作に応じて表示情報のレイアウトを変更する。表示部１４に表示される表示情報には、人力駆動車両２０から収集される人力駆動車両２０の走行に関する情報を含む。走行に関する情報には、例えば人力駆動車両２０の走行速度、走行距離、ケイデンス、人力駆動車両２０の推進をアシストするバッテリ残量、人力駆動車両２０の推進をアシストするモータの出力状況、人力駆動車両２０に設けられるクランクとホイールの回転比率を変更するための変速機の状態、人力駆動車両２０に設けられるクランクとホイールの回転比率を変更するための変速比、走行時間、平均速度、走行路の勾配、走行時の気温、走行時の時刻、最高速度、目的地までの距離、目標走行距離までの残距離、人力駆動車両に設けられるドライブユニットの駆動状態に関する情報、のうち少なくとも１つの情報が含まれる。
【００５７】
図２は、人力駆動車両２０のハンドル部分を示す図である。人力駆動車両２０は、少なくとも人力駆動力によって駆動することができる車両である。人力駆動車両２０は、例えば自転車を含む。自転車は、例えば電動アシスト自転車を含む。人力駆動車両２０は、車輪の数が限定されず、例えば１輪車および３輪以上の車輪を有する車両も含む。人力駆動車両２０は、例えばマウンテンバイク、ロードバイク、シティバイク、カーゴバイク、および、リカンベント、を含む。
【００５８】
人力駆動車両２０のハンドル２２には、表示処理装置１０を着脱可能に取り付けるホルダー２４が設けられている。表示処理装置１０は、ホルダー２４に装着されている状態で表示部１４に表示情報を表示することにより人力駆動車両２０に乗車しているユーザに対して人力駆動車両２０の走行に関する情報を提供する。なお、ハウジング１２とホルダー２４は一体的に形成されていてもよい。
【００５９】
図３は、表示処理装置１０の構成を示すブロック図である。表示処理装置１０は、表示部１４、操作部１６、処理部３０、通信部３２、および、記憶部３４を含む。
【００６０】
記憶部３４には、表示部１４に表示させる表示情報、表示位置が記憶されている。
【００６１】
以下に、表示部１４に表示される走行に関する情報などの表示形態と、操作部１６により受け付けた操作に応じた表示形態の変化について説明する。
【００６２】
表示部１４は、人力駆動車両２０の走行に関する情報を含む複数の表示情報と、複数の表示情報がそれぞれ表示される複数の表示領域を有する。操作部１６は、表示部１４に接触する第１入力操作を受け付ける。処理部３０は、第１入力操作の接触位置に関わらず、表示部１４における複数の表示領域の少なくとも１つの大きさを変更する。
【００６３】
例えば、処理部３０は、大きさを変更する対象となる表示領域、または、対象となる表示領域とは異なる領域に対して、第１入力操作の接触が行われた場合、この対象となる表示領域の大きさを変更する。
【００６４】
人力駆動車両２０は、走行に関する情報の一部を取得するための検出部を備えている。走行に関する情報には、例えば人力駆動車両２０の走行速度、走行距離、ケイデンス、人力駆動車両２０の推進をアシストするバッテリ残量、人力駆動車両２０の推進をアシストするモータの出力状況、人力駆動車両２０に設けられるクランクとホイールの回転比率を変更するための変速機の状態、人力駆動車両２０に設けられるクランクとホイールの回転比率を変更するための変速比、走行時間、平均速度、走行路の勾配、走行時の気温、走行時の時刻、最高速度、目的地までの距離、目標走行距離までの残距離、人力駆動車両に設けられるドライブユニットの駆動状態に関する情報を含み、さらにユーザの心拍数や熱消費量、体温などの人力駆動車両を走行させるユーザの生体情報を含んでいてもよい。
【００６５】
第１入力操作は、表示部１４における複数の表示領域の少なくとも１つの大きさを拡大するピンチアウト操作、または、表示部１４における複数の表示領域の少なくとも１つの大きさを縮小するピンチイン操作である。また、第１入力操作は、ピンチアウト操作およびピンチイン操作に限られず、表示部１４に触れてから所定時間後に離すタップ操作、または表示部１４に触れた状態で動かすスライド操作であってもよい。
【００６６】
ここで、表示部１４に複数の表示情報が表示された表示画面がユーザの操作に応じて遷移するときの一例について説明する。
【００６７】
図４Ａおよび図４Ｂは、表示部１４に複数の表示情報が表示された表示画面Ｇ２の一例を示す図である。
【００６８】
複数の表示情報は、少なくとも１つの第１表示情報と、少なくとも１つの第１表示情報とは異なる少なくとも１つの第２表示情報と、を含む。複数の表示領域は、少なくとも１つの第１表示情報が表示される第１表示領域Ａ２と、少なくとも１つの第２表示情報が表示される第２表示領域Ａ４とを含む。また、図４Ａおよび図４Ｂに示す例では、１つの第１表示領域Ａ２が表示されているが、これに限られず、複数の第１表示領域Ａ２と複数の第２表示領域Ａ４が表示されてもよい。
【００６９】
また、複数の表示領域の１つには、複数の表示情報における少なくとも２つ以上が表示される構成でもよい。
【００７０】
図４Ａに示す例では、第１表示領域Ａ２には、第１表示情報Ｉ２を含む。第２表示領域Ａ４には、それぞれ第２表示情報Ｉ４，Ｉ６，Ｉ８，Ｉ１０，Ｉ１２を含む。第１表示領域Ａ２および第２表示領域Ａ４に表示される表示情報は、任意に選択可能である。図４Ａでは、一例として、第１表示情報Ｉ２は、例えば人力駆動車両２０の走行速度を示す情報、第２表示情報Ｉ４は、例えば走行時の時刻を示す情報、第２表示情報Ｉ６は、例えば走行距離を示す情報、第２表示情報Ｉ８は、例えばケイデンスを示す情報、第２表示情報Ｉ１０は、例えばアシスト力を示す情報、第２表示情報Ｉ１２は、例えば目的地までの距離を示す情報である。
【００７１】
表示情報として時刻が表示される場合、ＧＰＳによって取得される位置情報に応じた時刻を表示可能である。表示情報として時刻が表示される場合、ユーザの設定によって国・地域ごとの時刻を選択する可能である。また、表示情報として時刻が表示される場合、表示処理装置１０の一例であるスマートフォン、タブレット、携帯情報機器、またはサイクルコンピュータのユーザにより設定される設定言語に応じた国・地域の時刻が表示される。
【００７２】
処理部３０は、操作部１６により第１入力操作としてピンチアウト操作を受け付けた場合、図４Ｂに示すように、第１表示領域Ａ２の大きさを拡大する。第１表示領域Ａ２の拡大に伴って、第１表示領域Ａ２に表示されている第１表示情報Ｉ２の表示サイズが拡大される。
【００７３】
また、処理部３０は、操作部１６により第１入力操作とは異なる第２入力操作を受け付けた場合、複数の表示領域の少なくとも１つに表示されていた表示情報を他の表示情報に変更する。第２入力操作は、例えばロングタッチ操作を行い、その後スライド操作を行う操作である。
【００７４】
図５Ａおよび図５Ｂは、第２入力操作により表示情報が変更される様子を模式的に示す図である。図５Ａおよび図５Ｂには、模式的にユーザの指Ｆが示されている。また、図５Ａに示す例では、第１表示領域Ａ１２には、１つの第１表示情報Ｉ２２を含む。第２表示領域Ａ１４には、それぞれ第２表示情報Ｉ２４，Ｉ３６，Ｉ２８，Ｉ３０，Ｉ３２を含む。
【００７５】
また、図５Ａおよび図５Ｂに示す例では、ユーザは、第２表示領域Ａ１４の第２表示情報Ｉ３０に対してロングタッチ操作を行い、その後第１表示領域Ａ１２の第１表示情報Ｉ２２の表示位置までスライド操作を行った場合を示している。
【００７６】
図５Ｂに示すように、第１表示領域Ａ１２に第２表示情報Ｉ３２が表示され、第２表示領域Ａ１４に第１表示情報Ｉ２２が表示される。
【００７７】
また、図４Ａに示すように、表示部１４は、複数の表示情報とは異なる少なくとも１つの追加表示情報を表示する追加表示領域Ａ６を含む。追加表示領域Ａ６は、追加表示情報が表示される領域であり、追加表示情報は、例えば人力駆動車両２０に設けられるドライブユニット、バッテリ、変速機、その他搭載されるコンポーネントの駆動状況、接続状況、変速機の調整状況、変速機の保護機能の発動状況、システムエラー状況の少なくとも１つに関するアラート情報、メンテナンスが必要なコンポ―ネントに関するメンテナンスアラート情報などである。また、追加表示情報は、例えば表示処理装置１０に関する情報であり、例えば表示処理装置１０を駆動するためのバッテリの残量を示す残量表示などである。また、追加表示領域Ａ６は、第１表示領域Ａ２または第２表示領域Ａ４にオーバーラップするように配置される。また、追加表示領域Ａ６は、第１表示領域Ａ２および第２表示領域Ａ４と重複しないように表示部１４の少なくとも上下左右隅のいずれかに配置される。図４では、追加表示領域Ａ６にメンテナンスアラート情報Ｂが表示されている例を示している。
【００７８】
処理部３０は、操作部１６により第１入力操作を受け付けた場合でも、少なくとも１つの追加表示情報の表示を維持する。つまり、処理部３０は、操作部１６により第１入力操作を受け付けた場合には、少なくとも第１表示領域Ａ２および第２表示領域Ａ４の一方の大きさを変更するが、追加表示領域Ａ６の大きさを変更しない。
【００７９】
また、表示処理装置１０がスマートフォンまたはタブレットで実現される場合、表示処理装置１０には、複数のアプリケーションがインストールされており、この複数のアプリケーションの中に上述した走行に関する情報を表示するアプリケーションが含まれている。以下では、走行に関する情報を表示するアプリケーションを「走行アプリ」という。
【００８０】
例えば、表示処理装置１０は、表示部１４に表示情報が表示されている状態において、ユーザにより操作を受け付けた場合、受け付けた操作に応じて表示情報のレイアウトを変更する。
【００８１】
また、表示処理装置１０は、操作部１６を介してユーザにより、走行アプリの操作を受け付けた場合、走行アプリを起動する。この走行アプリの起動により、表示部１４に表示情報が表示される。表示処理装置１０は、ユーザにより操作を受け付けた場合、受け付けた操作に応じて表示情報のレイアウトを変更する。
【００８２】
また、走行アプリは、通信部３２を介して人力駆動車両２０から走行に関する情報を取得する。走行アプリは、取得した走行に関する情報を表示部１４に表示する。表示処理装置１０は、走行アプリを表示部１４に表示することにより、人力駆動車両２０に乗車しているユーザに対して人力駆動車両の速度情報などの各種情報を提供する。
【００８３】
（第２実施形態）
図６Ａおよび図６Ｂを参照して、第２実施形態について説明する。第１実施形態と共通する構成については、第１実施形態と同一の符号を付し、重複する説明を省略する。
【００８４】
図６Ａおよび図６Ｂは、表示部１４に表示される表示画面Ｇ４の一例を示す図である。
【００８５】
複数の表示情報は、少なくとも１つの第１表示情報と、少なくとも１つの第１表示情報とは異なる少なくとも１つの第２表示情報と、を含む。複数の表示領域は、少なくとも１つの第１表示情報が表示される第１表示領域Ａ２２と、少なくとも１つの第２表示情報が表示される第２表示領域Ａ２４とを含む。また、図６Ａに示す例では、第１表示領域Ａ２２には、１つの第１表示情報Ｉ４２を含む。第２表示領域Ａ２４には、それぞれ第２表示情報Ｉ４４，Ｉ４６，Ｉ４８，Ｉ５０，Ｉ５２を含む。
【００８６】
処理部３０は、操作部１６により第１入力操作としてピンチアウト操作を受け付けた場合、図６Ｂに示すように、第１表示領域Ａ２２の大きさを拡大し、第２表示領域Ａ２４の大きさを縮小する。第１表示領域Ａ２２の拡大に伴って、第１表示領域Ａ２２に含まれている第１表示情報Ｉ４２も拡大される。また、第２表示領域Ａ２４の縮小に伴って、第２表示領域Ａ２４に含まれている第２表示情報Ｉ４４，Ｉ４６，Ｉ４８，Ｉ５０，Ｉ５２も縮小される。
【００８７】
（第３実施形態）
図７Ａおよび図７Ｂを参照して、第３実施形態について説明する。第１実施形態と共通する構成については、第１実施形態と同一の符号を付し、重複する説明を省略する。
【００８８】
図７Ａおよび図７Ｂは、表示部１４に表示される表示画面Ｇ６の一例を示す図である。
【００８９】
複数の表示情報は、少なくとも１つの第１表示情報と、少なくとも１つの第１表示情報とは異なる少なくとも１つの第２表示情報と、を含み、複数の表示領域は、少なくとも１つの第１表示情報が表示される第１表示領域Ａ３２と、少なくとも１つの第２表示情報が表示される第２表示領域Ａ３４とを含む。また、図７Ａに示す例では、第１表示領域Ａ３２には、１つの第１表示情報Ｉ６２を含む。第２表示領域Ａ３４には、それぞれ第２表示情報Ｉ６４，Ｉ６６，Ｉ６８，Ｉ７０，Ｉ７２を含む。
【００９０】
少なくとも１つ以上の第１表示領域Ａ３２と、少なくとも一つ以上の第２表示領域Ａ３４があり、ピンチアウト操作に応じて少なくとも１つの第１表示領域Ａ３２は拡大し、少なくとも１つ、または、複数の第２表示領域Ａ３４は縮小し、少なくとも１つの第２表示領域Ａ３４は非表示になる。図７Ｂに示す例では、複数の第２表示領域Ａ３４は縮小に伴って、第２表示情報Ｉ６４，Ｉ６６，Ｉ６８，Ｉ７０が縮小し、１つの第２表示領域Ａ３４の非表示に伴って、第２表示情報Ｉ７２が非表示になる。
【００９１】
（第４実施形態）
図８Ａ、図８Ｂ、図９Ａおよび図９Ｂを参照して、第４実施形態について説明する。第１実施形態と共通する構成については、第１実施形態と同一の符号を付し、重複する説明を省略する。
【００９２】
図８Ａおよび図８Ｂは、表示部１４に表示される表示画面Ｇ８の一例を示す図である。
【００９３】
複数の表示情報は、少なくとも１つの第１表示情報と、少なくとも１つの第１表示情報とは異なる少なくとも１つの第２表示情報と、を含む。複数の表示領域は、少なくとも１つの第１表示情報が表示される第１表示領域Ａ４２と、少なくとも１つの第２表示情報が表示される第２表示領域Ａ４４とを含む。また、図８Ａに示す例では、第１表示領域Ａ４２には、１つの第１表示情報Ｉ８２を含む。第２表示領域Ａ４４には、それぞれ第２表示情報Ｉ８４，Ｉ８６，Ｉ８８，Ｉ９０を含む。
【００９４】
処理部３０は、操作部１６により第１入力操作としてピンチアウト操作を受け付けた場合、図８Ｂに示すように、第１表示領域Ａ４２の大きさを拡大し、第２表示領域Ａ４４の大きさを維持する。第１表示領域Ａ４２の拡大に伴って、第１表示領域Ａ４２に含まれている第１表示情報Ｉ８２も拡大される。また、第２表示領域Ａ４４の大きさは維持されるので、第２表示領域Ａ４４に表示されている第２表示情報Ｉ８４，Ｉ８６，Ｉ８８，Ｉ９０の大きさも維持される。
【００９５】
また、表示画面Ｇ８が図８Ｂに示す状態において、処理部３０は、操作部１６により第１入力操作としてピンチイン操作を受け付けた場合、図８Ａに示すように、第１表示領域Ａ４２の大きさを縮小し、第２表示領域Ａ４４の大きさを維持する。第１表示領域Ａ４２の縮小に伴って、第１表示領域Ａ４２に表示されている第１表示情報Ｉ８２も縮小される。一方、第２表示領域Ａ４４の大きさは維持されるので、第２表示領域Ａ４４に表示されている第２表示情報Ｉ８４，Ｉ８６，Ｉ８８，Ｉ９０の大きさも維持される。
【００９６】
図９Ａおよび図９Ｂは、表示部１４に表示される表示画面Ｇ８の他の例を示す図である。
【００９７】
複数の表示情報は、さらに、少なくとも１つの第３表示情報Ｉ９２を含む。第３表示情報Ｉ９２は、第１表示情報Ｉ８２と第２表示情報Ｉ８４，Ｉ８６，Ｉ８８，Ｉ９０とは異なる情報である。
【００９８】
複数の表示領域は、さらに、少なくとも１つの第３表示情報Ｉ９２が含まれる第３表示領域Ａ４６を含む。
【００９９】
処理部３０は、操作部１６により第１入力操作としてピンチアウト操作を受け付けた場合、第３表示情報Ｉ９２を非表示にする。例えば、人力駆動車両情報提供アプリの表示画面Ｇ８は、図９Ａに示す状態から図９Ｂに示す状態に遷移する。また、図９Ｂに示す例では、第３表示情報Ｉ９２が非表示になることにより、第３表示領域Ａ４６も非表示になる。
【０１００】
また、処理部３０は、ピンチアウト操作を受け付けて少なくとも１つの第３表示情報Ｉ９２が非表示になっていた場合、ピンチイン操作を受け付けた際に、非表示になっていた少なくとも１つの第３表示情報Ｉ９２を第３表示領域Ａ４６に表示する。例えば、人力駆動車両情報提供アプリの表示画面Ｇ８は、図９Ｂに示す状態から図９Ａに示す状態に遷移する。
【０１０１】
（第５実施形態）
図１０Ａ、図１０Ｂおよび図１０Ｃを参照して、第５実施形態について説明する。第１実施形態と共通する構成については、第１実施形態と同一の符号を付し、重複する説明を省略する。
【０１０２】
図１０Ａ、図１０Ｂおよび図１０Ｃは、表示部１４に表示される表示画面Ｇ１０の一例を示す図である。
【０１０３】
複数の表示情報は、少なくとも１つの第１表示情報と、少なくとも１つの第１表示情報とは異なる少なくとも１つの第２表示情報と、第１表示情報および第２表示情報とは異なる、少なくとも１つの第３表示情報を含む。複数の表示領域は、少なくとも１つの第１表示情報が表示される第１表示領域Ａ５２と、少なくとも１つの第２表示情報が表示される第２表示領域Ａ５４と、少なくとも１つの第３表示情報が表示される第３表示領域Ａ５６と、を含む。
【０１０４】
図１０Ａに示す例では、第１表示領域Ａ５２には、１つの第１表示情報Ｉ１０２を含む。第２表示領域Ａ５４には、それぞれ第２表示情報Ｉ１０４，Ｉ１０６を含む。第３表示領域Ａ５６には、１つの第３表示情報Ｉ１０８を含む。
【０１０５】
処理部３０は、操作部１６により第１入力操作としてピンチアウト操作を受け付けた場合、図１０Ｂに示すように、第１表示領域Ａ５２の大きさを拡大し、第２表示領域Ａ５４および第３表示領域Ａ５６の少なくとも一方の大きさを縮小する。図１０Ｂに示す例では、第２表示領域Ａ５４の大きさを維持し、第３表示領域Ａ５６の大きさを縮小している。
【０１０６】
第１表示領域Ａ５２の拡大に伴って、第１表示領域Ａ５２に含まれている第１表示情報Ｉ１０２も拡大される。また、第３表示領域Ａ５６の縮小に伴って、第３表示領域Ａ５６に含まれている第３表示情報Ｉ１０８も縮小される。なお、第２表示領域Ａ５４の大きさは維持されるので、第２表示領域Ａ５４に含まれている第２表示情報Ｉ１０４，Ｉ１０６の大きさも維持される。
【０１０７】
また、表示画面Ｇ１０が図１０Ｂに示す状態において、処理部３０は、さらに、ピンチアウト操作を受け付けた場合、図１０Ｃに示すように、第２表示領域Ａ５４の大きさを縮小し、少なくとも１つの第３表示情報Ｉ１０８を非表示にする。図１０Ｃに示す例では、第３表示情報Ｉ１０８が非表示になることにより、第３表示領域Ａ５６も非表示になる。また、第１表示領域Ａ５２は、２回目のピンチアウト操作により、さらに拡大される。なお、図１０Ｃに示す例では、第２表示領域Ａ５４の大きさは維持されているが、縮小されてもよい。
【０１０８】
（第６実施形態）
図１１Ａ、図１１Ｂ、図１２Ａおよび図１２Ｂを参照して、第６実施形態について説明する。第１実施形態と共通する構成については、第１実施形態と同一の符号を付し、重複する説明を省略する。
【０１０９】
図１１Ａおよび図１１Ｂは、表示部１４に表示される表示画面Ｇ１２の一例を示す図である。
【０１１０】
複数の表示情報は、少なくとも１つの第１表示情報と、少なくとも１つの第１表示情報とは異なる少なくとも１つの第２表示情報と、を含む。複数の表示領域は、少なくとも１つの第１表示情報が表示される第１表示領域Ａ６２と、少なくとも１つの第２表示情報が表示される第２表示領域Ａ６４と、を含む。また、図１１Ａに示す例では、第１表示領域Ａ６２には、１つの第１表示情報Ｉ１１２を含む。第２表示領域Ａ６４には、それぞれ第２表示情報Ｉ１１４，Ｉ１１６を含む。
【０１１１】
処理部３０は、操作部１６により第１入力操作としてピンチアウト操作を受け付けた場合、第１表示領域Ａ６２を第１拡大率で拡大し、第２表示領域Ａ６４を第２拡大率で拡大する。また、第１拡大率は、第２拡大率よりも大きい。例えば、人力駆動車両情報提供アプリの表示画面Ｇ１２は、図１１Ａに示す状態から図１１Ｂに示す状態に遷移する。
【０１１２】
第１表示領域Ａ６２が第１拡大率で拡大した場合、第１表示領域Ａ６２に含まれている第１表示情報Ｉ１１２も第１拡大率で拡大される。同様に、第２表示領域Ａ６４が第２拡大率で拡大した場合、第２表示領域Ａ６４に含まれている第２表示情報Ｉ１１４，Ｉ１１６も第２拡大率で拡大される。
【０１１３】
また、処理部３０は、操作部１６により第１入力操作としてピンチイン操作を受け付けた場合、第１表示領域Ａ６２を第１縮小率で縮小し、第２表示領域Ａ６４を第２縮小率で縮小する。第１縮小率は、第２縮小率よりも大きい。例えば、表示画面Ｇ１２は、図１１Ｂに示す状態から図１１Ａに示す状態に遷移する。
【０１１４】
第１表示領域Ａ６２が第１縮小率で縮小した場合、第１表示領域Ａ６２に含まれている第１表示情報Ｉ１１２も第１縮小率で縮小される。同様に、第２表示領域Ａ６４が第２縮小率で縮小した場合、第２表示領域Ａ６４に含まれている第２表示情報Ｉ１１４，Ｉ１１６も第２縮小率で縮小される。
【０１１５】
図１２Ａおよび図１２Ｂは、表示部１４に表示される人力駆動車両情報提供アプリの表示画面Ｇ１２の他の例を示す図である。
【０１１６】
複数の表示情報は、少なくとも１つの第１表示情報および少なくとも１つの第２表示情報とは異なる、少なくとも１つの第３表示情報を含む。複数の表示領域は、少なくとも１つの第３表示情報が表示される第３表示領域Ａ６６と、を含む。なお、図１２Ａに示す例では、第３表示領域Ａ６６には、１つの第３表示情報Ｉ１１８を含む。また、図１２Ａに示す例では、第１表示領域Ａ６２、第２表示領域Ａ６４および第３表示領域Ａ６６の大きさは等しい。
【０１１７】
処理部３０は、ピンチアウト操作を受け付けた場合、第３表示領域Ａ６６の大きさを縮小または少なくとも１つの第３表示情報Ｉ１１８を非表示にする。例えば、表示画面Ｇ１２は、図１２Ａに示す状態から図１２Ｂに示す状態に遷移する。図１２Ｂに示す例では、第３表示情報Ｉ１１８が非表示になることにより、第３表示領域Ａ６６も非表示になる。
【０１１８】
また、処理部３０は、ピンチアウト操作を受け付けて少なくとも１つの第３表示情報Ｉ１１８が非表示になっていた場合、ピンチイン操作を受け付けた際に、非表示になっていた少なくとも１つの第３表示情報Ｉ１１８を第３表示領域Ａ６６に表示する。例えば、人力駆動車両情報提供アプリの表示画面Ｇ１２は、図１２Ｂに示す状態から図１２Ａに示す状態に遷移する。
【０１１９】
よって、表示処理装置１０は、ピンチアウト操作を受け付けた場合、ピンチアウト操作の接触位置に関わらず、第１表示領域Ａ６２を第１拡大率で拡大し、第２表示領域Ａ６４を第２拡大率で拡大することができる。
【０１２０】
また、表示処理装置１０は、ピンチイン操作を受け付けた場合、ピンチイン操作の接触位置に関わらず、第１表示領域Ａ６２を第１縮小率で縮小し、第２表示領域Ａ６４を第２縮小率で縮小することができる。
【０１２１】
また、表示処理装置１０によれば、ピンチアウト操作を受け付けた場合、ピンチアウト操作の接触位置に関わらず、第３表示領域Ａ６６の大きさを縮小または少なくとも１つの第３表示情報Ｉ１１８を非表示にすることができる。
【０１２２】
また、表示処理装置１０は、ピンチイン操作を受け付けた場合、ピンチイン操作の接触位置に関わらず、非表示になっていた少なくとも１つの第３表示情報Ｉ１１８を第３表示領域Ａ６６に表示することができる。
【０１２３】
（第７実施形態）
図１３を参照して、第７実施形態について説明する。第１実施形態と共通する構成については、第１実施形態と同一の符号を付し、重複する説明を省略する。
【０１２４】
図１３は、表示処理装置４０の構成を示すブロック図である。表示処理装置４０は、表示部１４、処理部５０、通信部３２、および、記憶部３４を含む。
【０１２５】
表示部１４は、少なくとも１つの表示情報が表示される少なくとも１つの表示領域により構成される。表示部１４は、少なくとも１つの表示領域により構成される複数の表示パターンを含む。処理部５０は、少なくとも１つの表示情報に対する処理を行う。処理部５０は、複数の表示パターンの中から予め定められた少なくとも１つの表示パターンを表示部１４に表示させる処理を行う。少なくとも１つの表示情報は、人力駆動車両２０の走行に関係する情報である。表示パターンとは、組み合わせる表示情報の種類や、各表示情報の大きさなどが予め設定されているプリセット画面である。表示パターンは、表示処理装置４０に含まれる操作部１６により受け付けた操作に基づいて設定される。
【０１２６】
図１４Ａ〜１４Ｃは、表示パターンＰ２，Ｐ４，Ｐ６の一例を示す図である。
【０１２７】
表示パターンＰ２は、図１４Ａに示すように、第１表示領域Ａ７２と第２表示領域Ａ７４とにより構成される。第１表示領域Ａ７２には、１つの第１表示情報Ｉ１２２が表示される。第２表示領域Ａ７４には、それぞれ第２表示情報Ｉ１２４，Ｉ１２６，Ｉ１２８，Ｉ１３０，Ｉ１３２が表示される。
【０１２８】
表示パターンＰ４は、図１４Ｂに示すように、第１表示領域Ａ８２と第２表示領域Ａ８４とにより構成される。第１表示領域Ａ８２には、１つの第１表示情報Ｉ１４２が表示される。第２表示領域Ａ８４には、それぞれ第２表示情報Ｉ１４４，Ｉ１４６，Ｉ１４８，Ｉ１５０が表示される。
【０１２９】
表示パターンＰ６は、図１４Ｃに示すように、第１表示領域Ａ９２と第２表示領域Ａ９４とにより構成される。第１表示領域Ａ９２には、１つの第１表示情報Ｉ１５２が表示される。第２表示領域Ａ９４には、それぞれ第２表示情報Ｉ１５４，Ｉ１５６が表示される。
【０１３０】
なお、表示パターンＰ２，Ｐ４、Ｐ６は、一例であり、表示パターンの数や、組み合わせる表示情報の種類や、各表示情報の大きさは任意に設定することができる。
【０１３１】
処理部５０は、例えば、予め表示パターンＰ２，Ｐ４、Ｐ６の中から表示パターンＰ４が選択されている場合には、表示パターンＰ４を表示部１４に表示させる処理を行う。
【０１３２】
表示処理装置４０は、さらに、操作を受け付ける操作部１６を含む。処理部３０は、操作部１６により受け付けた操作に基づき、複数の表示パターンの中から、表示部１４に表示する選択パターンを決定する。
【０１３３】
処理部３０は、例えば、予め表示パターンＰ２，Ｐ４、Ｐ６の中から表示パターンＰ４，Ｐ６が選択されている場合には、操作部１６により受け付けた操作に基づき、表示パターンＰ４または表示パターンＰ６を表示部１４に表示させる処理を行う。操作部１６により受け付けた操作とは、例えば表示部１４に触れた状態で一定方向へ動かすスワイプ操作である。
【０１３４】
（第８実施形態）
第８実施形態について説明する。上述した第１実施形態の処理の様に、表示部１４は、人力駆動車両２０の走行に関する情報を含む複数の表示情報と、複数の表示情報がそれぞれ表示される複数の表示領域を有する。操作部１６は、表示部１４に接触する第１入力操作を受け付ける。処理部３０は、第１入力操作の接触位置に関わらず、表示部１４における複数の表示領域の少なくとも１つの大きさを変更する。
【０１３５】
第１入力操作は、表示部１４における複数の表示領域の少なくとも１つの大きさを拡大するピンチアウト操作、または、表示部１４における複数の表示領域の少なくとも１つの大きさを縮小するピンチイン操作である。また、第１入力操作は、ピンチアウト操作およびピンチイン操作に限られず、表示部１４に触れてから所定時間後に離すタップ操作、または表示部１４に触れた状態で動かすスライド操作であってもよい。
【０１３６】
また、複数の表示情報は、少なくとも１つの第１表示情報と、少なくとも１つの第１表示情報とは異なる少なくとも１つの第２表示情報と、を含む。複数の表示領域は、少なくとも１つの第１表示情報が表示される第１表示領域と、少なくとも１つの第２表示情報が表示される第２表示領域とを含む。処理部３０は、操作部１６により第１入力操作としてピンチアウト操作を受け付けた場合、第１表示領域の大きさを拡大する。
【０１３７】
また、複数の表示領域の１つには、複数の表示情報における少なくとも２つ以上が表示される構成でもよい。
【０１３８】
処理部３０は、操作部１６により第１入力操作とは異なる第２入力操作を受け付けた場合、複数の表示領域の少なくとも１つに表示されていた表示情報を他の表示情報に変更する。
【０１３９】
表示部１４は、複数の表示情報とは異なる少なくとも１つの追加表示情報を表示する追加表示領域を含む。
【０１４０】
処理部３０は、操作部１６により第１入力操作を受け付けた場合でも、少なくとも１つの追加表示情報の表示を維持する。
【０１４１】
また、上述した第２実施形態の処理の様に、複数の表示情報は、少なくとも１つの第１表示情報と、少なくとも１つの第１表示情報とは異なる少なくとも１つの第２表示情報と、を含む。複数の表示領域は、少なくとも１つの第１表示情報が表示される第１表示領域と、少なくとも１つの第２表示情報が表示される第２表示領域とを含む。処理部３０は、操作部１６により第１入力操作としてピンチアウト操作を受け付けた場合、第１表示領域の大きさを拡大し、第２表示領域の大きさを縮小する。
【０１４２】
また、上述した第３実施形態の処理の様に、複数の表示情報は、少なくとも１つの第１表示情報と、少なくとも１つの第１表示情報とは異なる少なくとも１つの第２表示情報と、を含み。複数の表示領域は、少なくとも１つの第１表示情報が表示される第１表示領域と、少なくとも１つの第２表示情報が表示される第２表示領域とを含む。処理部３０は、操作部１６により第１入力操作としてピンチアウト操作を受け付けた場合、少なくとも１つの第２表示情報を非表示にする。
【０１４３】
また、上述した第４実施形態の処理の様に、複数の表示情報は、少なくとも１つの第１表示情報と、少なくとも１つの第１表示情報とは異なる少なくとも１つの第２表示情報と、を含む。複数の表示領域は、少なくとも１つの第１表示情報が表示される第１表示領域と、少なくとも１つの第２表示情報が表示される第２表示領域とを含む。
【０１４４】
処理部３０は、操作部１６により第１入力操作としてピンチアウト操作を受け付けた場合、第１表示領域の大きさを拡大し、第２表示領域Ａ４４の大きさを維持する。
【０１４５】
また、処理部３０は、操作部１６により第１入力操作としてピンチイン操作を受け付けた場合、第１表示領域の大きさを縮小し、第２表示領域の大きさを維持する。
【０１４６】
複数の表示情報は、さらに、少なくとも１つの第３表示情報Ｉ９２を含む。処理部３０は、操作部１６により第１入力操作としてピンチアウト操作を受け付けた場合、第３表示情報を非表示にする。また、処理部３０は、ピンチアウト操作を受け付けて少なくとも１つの第３表示情報が非表示になっていた場合、ピンチイン操作を受け付けた際に、非表示になっていた少なくとも１つの第３表示情報を第３表示領域に表示する。
【０１４７】
また、上述した第５実施形態の処理の様に、複数の表示情報は、少なくとも１つの第１表示情報と、少なくとも１つの第１表示情報とは異なる少なくとも１つの第２表示情報と、第１表示情報および第２表示情報とは異なる、少なくとも１つの第３表示情報を含む。複数の表示領域は、少なくとも１つの第１表示情報が表示される第１表示領域と、少なくとも１つの第２表示情報が表示される第２表示領域と、少なくとも１つの第３表示情報が表示される第３表示領域と、を含む。処理部３０は、操作部１６により第１入力操作としてピンチアウト操作を受け付けた場合、図１０Ｂに示すように、第１表示領域Ａ５２の大きさを拡大し、第２表示領域Ａ５４および第３表示領域Ａ５６の少なくとも一方の大きさを縮小する。
【０１４８】
また、処理部３０は、さらに、ピンチアウト操作を受け付けた場合、図１０Ｃに示すように、第２表示領域Ａ５４の大きさを縮小し、少なくとも１つの第３表示情報Ｉ１０８を非表示にする。
【０１４９】
また、上述した第６実施形態の処理の様に、複数の表示情報は、少なくとも１つの第１表示情報と、少なくとも１つの第１表示情報とは異なる少なくとも１つの第２表示情報と、を含む。複数の表示領域は、少なくとも１つの第１表示情報が表示される第１表示領域と、少なくとも１つの第２表示情報が表示される第２表示領域と、を含む。
【０１５０】
処理部３０は、操作部１６により第１入力操作としてピンチアウト操作を受け付けた場合、第１表示領域を第１拡大率で拡大し、第２表示領域を第２拡大率で拡大する。第１拡大率は、第２拡大率よりも大きい。また、処理部３０は、操作部１６により第１入力操作としてピンチイン操作を受け付けた場合、第１表示領域を第１縮小率で縮小し、第２表示領域を第２縮小率で縮小する。第１縮小率は、第２縮小率よりも大きい。
【０１５１】
また、複数の表示情報は、少なくとも１つの第１表示情報および少なくとも１つの第２表示情報とは異なる、少なくとも１つの第３表示情報を含む。複数の表示領域は、少なくとも１つの第３表示情報が表示される第３表示領域と、を含む。
【０１５２】
処理部３０は、ピンチアウト操作を受け付けた場合、第３表示領域の大きさを縮小または少なくとも１つの第３表示情報を非表示にする。また、処理部３０は、ピンチアウト操作を受け付けて少なくとも１つの第３表示情報が非表示になっていた場合、ピンチイン操作を受け付けた際に、非表示になっていた少なくとも１つの第３表示情報を第３表示領域に表示する。
【０１５３】
以上、本発明の実施形態を説明したが、この実施形態の内容により実施形態が限定されるものではない。例えば、表示情報または表示領域では、走行速度、平均走行速度、バッテリ残量、アシスト出力値に関するタコメータで表示されてもよい。また、アシストモータを駆動するためのバッテリ残量が所定値以下の場合には、表示色を変更してもよい。所定値以下とは、例えば、２０％以下である。また、表示処理装置１０，４０は、ドライブユニット、シフター、バッテリ、変速機、サスペンション、ケイデンスセンサー、トルクセンサ、速度センサ、生体情報センサ、それらの操作装置、との少なくとも１つと、有線または無線で接続される。なお、変速機とは、フロントディレーラおよびリアディレーラである。表示情報には、表示処理装置１０，４０とドライブユニットなどのコンポーネントとの接続状況、前照灯の点灯状況なども含まれてもよい。表示情報には、推奨ギア比の表示が含まれてもよい。表示処理装置１０，４０は、所定条件下にスリープモードに切り替わる機能を有するが、走行時、アシスト時は、スリープモードに切り替わらない。
【０１５４】
また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換または変更を行うことができる。
【符号の説明】
【０１５５】
１０，４０  表示処理装置
１２  ハウジング
１４  表示部
１６  操作部
２０  人力駆動車両
２２  ハンドル
２４  ホルダー
３０，５０  処理部
３２  通信部
３４  記憶部
Ａ２，Ａ１２，Ａ２２，Ａ３２，Ａ４２，Ａ５２，Ａ６２，Ａ７２，Ａ８２，Ａ９２  第１表示領域
Ａ４，Ａ１４，Ａ２４，Ａ３４，Ａ４４，Ａ５４，Ａ６４，Ａ７４，Ａ８４，Ａ９４  第２表示領域
Ａ６  追加表示領域
Ａ４６，Ａ５６，Ａ６６  第３表示領域
Ｉ２，Ｉ２２，Ｉ４２，Ｉ６２，Ｉ８２，Ｉ１０２，Ｉ１１２，Ｉ１２２，Ｉ１４２，Ｉ１５２  第１表示情報
Ｉ４，Ｉ６，Ｉ８，Ｉ１０，Ｉ１２，Ｉ２４，Ｉ３６，Ｉ２８，Ｉ３０，Ｉ３２，Ｉ４４，Ｉ４６，Ｉ４８，Ｉ５０，Ｉ５２，Ｉ６４，Ｉ６６，Ｉ６８，Ｉ７０，Ｉ７２，Ｉ８４，Ｉ８６，Ｉ８８，Ｉ９０，Ｉ１０４，Ｉ１０６，Ｉ１１４，Ｉ１１６，Ｉ１２４，Ｉ１２６，Ｉ１２８，Ｉ１３０，Ｉ１３２，Ｉ１４４，Ｉ１４６，Ｉ１４８，Ｉ１５０，Ｉ１５４，Ｉ１５６  第２表示情報
Ｉ９２，Ｉ１０８，Ｉ１１８  第３表示情報
Ｇ２，Ｇ４，Ｇ６，Ｇ８，Ｇ１０，Ｇ１２  表示画面
Ｐ２，Ｐ４、Ｐ６  表示パターン
【図１】
2019211915.tif 000003
【図２】
2019211915.tif 000004
【図３】
2019211915.tif 000005
【図４Ａ】
2019211915.tif 000006
【図４Ｂ】
2019211915.tif 000007
【図５Ａ】
2019211915.tif 000008
【図５Ｂ】
2019211915.tif 000009
【図６Ａ】
2019211915.tif 000010
【図６Ｂ】
2019211915.tif 000011
【図７Ａ】
2019211915.tif 000012
【図７Ｂ】
2019211915.tif 000013
【図８Ａ】
2019211915.tif 000014
【図８Ｂ】
2019211915.tif 000015
【図９Ａ】
2019211915.tif 000016
【図９Ｂ】
2019211915.tif 000017
【図１０Ａ】
2019211915.tif 000018
【図１０Ｂ】
2019211915.tif 000019
【図１０Ｃ】
2019211915.tif 000020
【図１１Ａ】
2019211915.tif 000021
【図１１Ｂ】
2019211915.tif 000022
【図１２Ａ】
2019211915.tif 000023
【図１２Ｂ】
2019211915.tif 000024
【図１３】
2019211915.tif 000025
【図１４Ａ】
2019211915.tif 000026
【図１４Ｂ】
2019211915.tif 000027
【図１４Ｃ】
2019211915.tif 000028